(57)【特許請求の範囲】
【請求項１】
映像または音声の素材を記憶する複数の可搬型記憶媒体を収納する収納手段と、
前記収納手段への前記複数の可搬型記憶媒体それぞれの収納を検出する検出手段と、
を備えるカート装置と、
前記複数の可搬型記憶媒体に記憶された複数の素材のファイルと、前記複数の可搬型記憶媒体の状態を管理するための複数の状態ファイルと、を対応付けて所定のファイルシステムにより管理するファイル管理手段と、
前記検出手段による可搬型記憶媒体の収納の検出結果に応じて、前記ファイルシステムに設定される当該可搬型記憶媒体に記憶された素材のファイルに対応する状態ファイルのサイズを変更するファイルサイズ変更手段と、
を備えるカート制御装置と、
を有する素材管理システム。
【請求項２】
前記ファイルサイズ変更手段は、前記可搬型記憶媒体が前記収納手段に存在しない場合は前記状態ファイルのサイズを０とし、前記可搬型記憶媒体が前記収納手段に存在する場合は前記状態ファイルのサイズを記憶サイズとする、
請求項１記載の素材管理システム。
【請求項３】
前記検出手段は、前記複数の可搬型記憶媒体それぞれに付されており前記複数の可搬型記憶媒体それぞれの識別情報をコード化したバーコードから前記識別情報を読み取ることで、前記複数の可搬型記憶媒体それぞれの収納を検出する、
請求項１または２の何れか一項に記載の素材管理システム。
【請求項４】
カート装置が、映像または音声の素材を記憶する複数の可搬型記憶媒体を収納する収納手段への前記複数の可搬型記憶媒体それぞれの収納を検出し、
カート制御装置が、前記カート装置による可搬型記憶媒体の収納の検出結果に応じて、前記複数の可搬型記憶媒体に記憶された複数の素材のファイルと、前記複数の可搬型記憶媒体の状態を管理するための複数の状態ファイルと、を対応付けて管理する所定のファイルシステムに設定される当該可搬型記憶媒体に記憶された素材のファイルに対応する状態ファイルのサイズを変更する、
素材管理方法。
【発明の詳細な説明】
【技術分野】
【０００１】
本発明は素材管理システム及び素材管理方法に関し、特に複数の光ディスクなどに記憶した大量の映像または音声素材を管理する素材管理システム及び素材管理方法に関する。
【背景技術】
【０００２】
大量のＡＶ素材を扱う放送局では、番組制作の際に、保存した大量の素材の中から編集に必要なものを短時間に検索する必要がある。そのため、従来では記録した素材についての情報（番組データやコード番号など）をデータベース化して、検索の際にその情報を例えばコンピュータの画面上で参照することで、必要な素材を検索していた。また、素材の記録時にはその素材の一部の静止画像や動画像を別に記録して、検索の際には、これらの画像データも参照して、目的の素材か否かを判定できる検索システムも知られている（例えば特許文献１参照。）。
【０００３】
ところで、近年のＡＶ素材は、ＭＰＥＧ（Moving Picture Coding Experts Group）化が進み、中でもＭＰＥＧ２による圧縮符号化は、デジタル放送やＤＶＤ（Digital Versatile Disc）−Ｖｉｄｅｏなどに使用され、放送番組の製作現場においても利用されてきている。さらに、近年では、ＴＣＰ（Transmission Control Protocol）／ＩＰ（Internet Protocol）ネットワーク上での異なる機種やメーカの放送機器同士でのファイル交換のためのフォーマットとして、ＭＸＦ（Material eXchange Format）が、ＳＭＰＴＥ（Society of Motion Picture and Television Engineers）で標準化されている。
【０００４】
ＭＸＦは、ＭＰＥＧフォーマットやＤＶ（Digital Video）フォーマットのデータ、さらにはメタデータ（圧縮符号化方式、映像の内容、種類、撮影場所などの情報）などを一体化して送受信可能なフォーマットであり、ストリーミング機能にも対応している。ＭＸＦを利用することにより、例えば放送局内ＬＡＮ（Local Area Network）を利用して、ＧＵＩ（Graphical User Interface）環境にてドラッグ＆ドロップなどの画面上での簡単な操作で、ＬＡＮ上の機器間による素材ファイルの転送や、再生、記録が可能になってきている。なお、ネットワーク上でのファイルの転送は、ＣＩＦＳ（Common Internet File System）やＦＴＰ（File Transfer Protocol）などのプロトコルによって制御される。
【０００５】
このような、ネットワークを介して素材を管理する素材管理システムでは、素材を記憶する光ディスクなどの可搬型記憶媒体を複数収納するカート装置が用いられている。カート装置は例えば放送局内ＬＡＮに接続されており、ＬＡＮ上のコンピュータからの指示のもと、ＣＩＦＳ／ＦＴＰにより、カート装置内に収納されている素材の検索や、素材の転送または再生などが可能となっている。放送局では、例えば、１つのカート装置で１０年分程度の放送素材が保存されている。しかし、放送局の規模によっては、数年でカート装置内の光ディスクに記憶できるデータ量を超えてしまう場合がある。そこで、必要な複数のカート装置をオンライン化（ネットワークに接続）することも考えられるが、コストがかかる。そのため、従来、素材が記憶された光ディスクをカート装置から取り出して、新たなブランクの光ディスクをカート装置に収納し、取り出された光ディスクは外部の収納棚にＩＤ順に並べるなどして管理していた。
【特許文献１】特許第２９５２９０８号公報
【発明の開示】
【発明が解決しようとする課題】
【０００６】
しかし、従来の素材管理システムでは、カート装置から取り出された可搬型記憶媒体の情報は、ファイルシステムから消えるため、ネットワーク上から参照できなかった。そのため、カート装置から取り出された可搬型記憶媒体に記憶された素材を検索することは困難であるという問題があった。
【０００７】
本発明はこのような点に鑑みてなされたものであり、カート装置から取り出された可搬型記憶媒体に記憶された素材も簡単に検索可能な素材管理システムを提供することを目的とする。
【０００８】
また、本発明の他の目的は、カート装置から取り出された可搬型記憶媒体に記憶された素材も簡単に検索可能な素材管理方法を提供することである。
【課題を解決するための手段】
【０００９】
本発明では上記課題を解決するために、映像または音声の素材を記憶する複数の可搬型記憶媒体を収納する収納手段と、前記収納手段への前記複数の可搬型記憶媒体それぞれの収納を検出する検出手段と、を備えるカート装置と、前記複数の可搬型記憶媒体に記憶された複数の素材のファイルと、前記複数の可搬型記憶媒体の状態を管理するための複数の状態ファイルと、を対応付けて所定のファイルシステムにより管理するファイル管理手段と、前記検出手段による可搬型記憶媒体の収納の検出結果に応じて、前記ファイルシステムに設定される当該可搬型記憶媒体に記憶された素材のファイルに対応する状態ファイルのサイズを変更するファイルサイズ変更手段と、を備えるカート制御装置と、を有する素材管理システムが提供される。
【発明の効果】
【００１１】
本発明によれば、可搬型記憶媒体がカート装置から取り出されても、素材の情報を管理し続けることができる。また、ファイルシステムに設定された状態ファイルのサイズを収納の有無により変更するので、当該状態ファイルのサイズを参照することで、その素材が実際にはカート装置内にあるのか否かが一目でわかり、目的の素材の検索を簡単に行うことができる。
【発明を実施するための最良の形態】
【００１２】
以下、本発明の実施の形態を図面を参照して詳細に説明する。
図１は、本実施の形態の素材管理システムの構成を示す図である。
本実施の形態の素材管理システムは、例えば、放送局の番組製作現場などにおいて適用されるシステムであり、カート装置１、カート制御装置２、検索用コンピュータ３を有している。また、これらはＬＡＮ４に接続している。カート装置１の外部には、例えば、カート装置１から取り出された可搬型記憶媒体を収納するための外部収納棚５が配置されている。
【００１３】
カート装置１は、複数の可搬型記憶媒体を収納する収納棚１ａと、複数の記録再生装置１ｂを備えている。
可搬型記憶媒体は、例えば、青紫色レーザ光による高密度記憶を採用した光ディスク１０であり、例えば、２３．３ＧＢの容量を有する。また、光ディスク１０には、自身の識別情報（以下ＤｉｓｃＩＤ）をコード化したバーコード１０ａが添付されている。また、ユーザが識別可能なように、コード化されてないＤｉｓｃＩＤも記入されている。収納棚１ａには、例えば、６００巻程度の光ディスク１０が収納される。
【００１４】
記録再生装置１ｂは、カート装置１内に複数搭載されている。各記録再生装置１ｂは、ＬＡＮ４に接続可能なインターフェースの他に、ＩＥＥＥ（the Institute of Electrical and Electronics Engineers）１３９４規格のインターフェースなども備えている。そして、カート制御装置２の制御のもと、図示しないロボティックス機能により収納棚１ａから取り出した光ディスク１０への素材の記憶や、光ディスク１０に記憶された素材の再生を行う。
【００１５】
カート制御装置２は、カート装置１の図示しないロボティックス機能や、カート装置１内の記録再生装置１ｂを、例えば、ＲＳ−４２２Ａ端子からの制御信号により制御するコンピュータである。そして、ＬＡＮ４に接続可能なインターフェースを備え、ＦＴＰまたはＣＩＦＳプロトコルを用いて、カート装置１に記録する素材の受信などを行う。なお、ＬＡＮ４を介して受信した素材は、例えば、ＩＥＥＥ１３９４規格のインターフェースにより、記録再生装置１ｂに供給される。
【００１６】
また、カート制御装置２は、カート装置１内の光ディスク１０の素材の管理情報を記憶するデータベース２ａを有している。
図２は、素材の管理情報を記憶するデータベースの例である。
【００１７】
図のように、データベース２ａには、素材ファイルごとに、素材ファイルを格納した光ディスク１０のＤｉｓｃＩＤや、素材ファイルのＩＤ（ＦｉｌｅＩＤ）、記憶した日時（Ｄａｔｅ）、タイトル、更新日時（ｌａｓｔ）などの管理情報が記憶される。
【００１８】
検索用コンピュータ３は、ＬＡＮ４に接続されており、例えば、ユーザはこの検索用コンピュータ３を用いて、データベース２ａから所望の素材を検索したり、素材の転送、再生または記録要求などを行う。
【００１９】
外部収納棚５には、カート装置１から取り出された光ディスク１０が、ＤｉｓｃＩＤ順に整理されて収納される。
なお、図１ではデータベース２ａをカート制御装置２内に示したが、ＬＡＮ４上に接続されていて、検索用コンピュータ３により参照可能であればよい。
【００２０】
以下、本実施の形態の素材管理システムの動作を説明する。
カート装置１内に新しい光ディスク１０が収納されると、カート装置１内の図示しないバーコードリーダは、光ディスク１０に添付されているバーコード１０ａより、ＤｉｓｃＩＤを読み取る。カート制御装置２は、読み取られたＤｉｓｃＩＤをもとに、以下のようなファイルシステムを構築する。
【００２１】
図３は、カート制御装置のディレクトリの構成を示す図である。
例えば、ＤｉｓｃＩＤが“０００００００１”の光ディスク１０がカート装置１に収納された場合、そのＤｉｓｃＩＤがデータベース２ａに登録される。さらに、カート制御装置２のディレクトリ構成において、カート装置１内の光ディスク１０のディレクトリを示す“ＤＩＳＣＳ”内に、収納したＤｉｓｃＩＤ“０００００００１”の光ディスク１０のディレクトリを作成する。
【００２２】
さらに、本実施の形態の素材管理システムでは、ＤｉｓｃＩＤ“０００００００１”の光ディスク１０が、カート装置１内に収納されていることを示す状態情報として、状態ファイル“ａ０００００００１．ＳＴＳ”をディレクトリ“０００００００１”内に置く。この状態ファイル“ａ０００００００１．ＳＴＳ”と同時に明示される“ｙｙｍｍｄｄ：ｈｈｍｍｓｓ”は、この光ディスク１０が、カート装置１内に収納された日時を示している。また、記憶サイズを“１ＫＢ”と明示することで、この光ディスク１０がカート装置１内に存在していることを、ＬＡＮ４上のユーザから参照可能なようにしている（なお、詳細は後述するが、０ＫＢの場合は光ディスク１０がカート装置１外に存在することを示す。）。また、“ａ０００００００１．ＭＸＦ”は、この光ディスク１０に記録された素材ファイル、“ａ０００００００１．ＳＭＸ”は、素材のプロキシデータ（ＡＶ素材の一部の画像や動画データ）である。なお、これらのファイル名と同時に、ファイルの更新日時（ｙｙｍｍｄｄ：ｈｈｍｍｓｓ）と記憶サイズが明示される。
【００２３】
ここで、カート装置１内での、光ディスク１０への素材の記憶について簡単に説明する。
例えば、ユーザは、所望の素材ファイル（例えばＭＸＦファイル）を、例えば図示しないＡＶサーバから、ＦＴＰまたはＣＩＦＳプロトコルによりカート制御装置２にダウンロードする。具体的には、図３で示した“ＥＮＴＲＹ”ディレクトリに所望の素材ファイルを例えばドラッグ＆ドロップすることにより行われる。
【００２４】
カート制御装置２の制御のもと、カート装置１は、収納棚１ａより記録可能な光ディスク１０を取り出し、記録可能な記録再生装置１ｂにその光ディスク１０を挿入する。記録準備が整うと、“ＥＮＴＲＹ”ディレクトリにダウンロードされた素材ファイルが、記録再生装置１ｂに挿入された光ディスク１０に記憶される。記憶された素材ファイルは図２のようにデータベース２ａに登録される。さらに、このとき、図３のように、例えば、ＤｉｓｃＩＤ“０００００００１”のディレクトリ内に、光ディスク１０に記憶された素材ファイル“ａ０００００００１．ＭＸＦ”が明示される。なお、プロキシデータ“ａ００００００１．ＳＭＸ”は、データベース２ａに関連付けられて、光ディスク１０とは別に記憶されるが、同様に“０００００００１”ディレクトリ内に明示される。素材ファイルの記憶が完了した光ディスク１０は、再び収納棚１ａに収納される。
【００２５】
以上のようにして、カート装置１内には素材が蓄積されていく。例えば、放送番組制作の際、ユーザは、検索用コンピュータ３を用いて、データベース２ａから所望の放送用の素材を検索する。所望の素材が選択されると、カート制御装置２の制御のもと、カート装置１は、指定された素材を記憶した光ディスク１０を収納棚１ａより取り出し、再生可能な記録再生装置１ｂにその光ディスク１０を挿入して、ＬＡＮ４を介して素材の再生または転送を行う。このようにして、ユーザはカート装置１内に蓄積された素材を利用することができる。
【００２６】
ところで、カート装置１内の収納棚１ａに収納された光ディスク１０の全てに素材が記憶されて、新しい素材を記憶できなくなった場合、例えば古い素材を記憶した光ディスク１０をカート装置１から取り出して、新しい光ディスク１０と交換する。この場合、取り出された光ディスク１０は、例えば、人手によってＤｉｓｃＩＤ順に、外部収納棚５に収納される。
【００２７】
このとき、本実施の形態のカート制御装置２は、以下のような動作を行う。
図４は、ある光ディスクがカート装置外に存在する場合を示す、カート制御装置のディレクトリの構成を示す図である。
【００２８】
ここでは、ＤｉｓｃＩＤが“０００００００１”の光ディスク１０を取り出している場合について示している。この場合、カート制御装置２は、“０００００００１”ディレクトリを消去せずに、状態ファイル“ａ０００００００１．ＳＴＳ”の記憶サイズを“０ＫＢ”と明示する。これにより、ＬＡＮ４上の検索用コンピュータ３は、素材ファイル“ａ０００００００１．ＭＸＦ”を格納している光ディスク１０は、カート装置１内には無く、外部収納棚５に存在していることを知ることができる。よって、この素材が必要な場合には、ＤｉｓｃＩＤ“０００００００１”の光ディスク１０を、外部収納棚５から取り出させばよい。前述したように、外部収納棚５には、光ディスク１０がＤｉｓｃＩＤの順に収納されているので、ユーザは簡単に目的の光ディスク１０を探しだすことができる。
【００２９】
ユーザは、このように探し出した光ディスク１０をそのまま、例えば自身のコンピュータ（例えば検索用コンピュータ３）のディスクドライブに収納して所望の素材を再生、または編集することが可能である。また、光ディスク１０を、再び、カート装置１の記録再生装置１ｂに挿入して素材の転送や、再生または記録を行うようにしてもよい。その場合、カート装置１は、図示しないバーコードリーダにより、光ディスク１０のバーコード１０ａからＤｉｓｃＩＤを読み取り、カート制御装置２に伝える。カート制御装置２は、入力されたＤｉｓｃＩＤより、図３で示したようなファイルシステム上で、“ＤＩＳＣＳ”ディレクトリ内の対応する光ディスク１０の状態ファイルの記録サイズを“１ＫＢ”と明示する。これにより、ＬＡＮ４上の検索用コンピュータ３からは、ＤｉｓｃＩＤ“０００００００１”の光ディスク１０は、カート装置１内に収納されており、光ディスク１０内に記憶されている素材にＬＡＮ４を介してアクセスが可能であることを知ることができる。
【００３０】
なお、プロキシデータは、素材ファイルとは別に記憶されているので、光ディスク１０がカート装置１より取り出されても利用可能である。
なお、上記は本発明の一実施の形態にすぎず、特に上記に限定されるものではない。例えば、カート装置１及びカート制御装置２は複数あってもよい。
【００３１】
また、ＬＡＮ４の代わりにＷＡＮ（Wide Area Network）を利用してもよい。
【図面の簡単な説明】
【００３２】
【図１】本実施の形態の素材管理システムの構成を示す図である。
【図２】素材の管理情報を記憶するデータベースの例である。
【図３】カート制御装置のディレクトリの構成を示す図である。
【図４】ある光ディスクがカート装置外に存在する場合を示す、カート制御装置のディレクトリの構成を示す図である。
【符号の説明】
【００３３】
１……カート装置、１ａ……収納棚、１ｂ……記録再生装置、２……カート制御装置、２ａ……データベース、３……検索用コンピュータ、４……ＬＡＮ、５……外部収納棚
【図１】
0004609251.tif 000002
【図２】
0004609251.tif 000003
【図３】
0004609251.tif 000004
【図４】
0004609251.tif 000005